(57)【要約】【課題】ＥＭＩを低減した画像データ変調装置、画像表示装置を提供する。【解決手段】デジタル画像データを入力し、保持しているデータに対する差分をＶＤｄａｔａとして出力する差分変調部と、前記ＶＤｄａｔａを剰余関数により１ビット圧縮した剰余縮約データに変換して出力する剰余縮約部と、前記剰余縮約データをシリアル信号に変換して出力する差動信号変調部と、を備え、前記剰余縮約部は、前記ＶＤｄａｔａの出現確率の大きなものを前記剰余縮約データの遷移量の小さいものに対応させて変換し、前記シリアル信号は、１画素分の前記剰余縮約データを上位ビット側から下位ビット側の順番にまたは下位ビット側から上位ビット側の順番に配列したものを有することを特徴とする画像データ変調装置が提供される。【選択図】図１
2010210693.tif 000002
【特許請求の範囲】
【請求項１】
デジタル画像データを入力し、保持しているデータに対する差分をＶＤｄａｔａとして出力する差分変調部と、
前記ＶＤｄａｔａを剰余関数により１ビット圧縮した剰余縮約データに変換して出力する剰余縮約部と、
前記剰余縮約データをシリアル信号に変換して出力する差動信号変調部と、
を備え、
前記剰余縮約部は、前記ＶＤｄａｔａの出現確率の大きなものを前記剰余縮約データの遷移量の小さいものに対応させて変換し、
前記シリアル信号は、１画素分の前記剰余縮約データを上位ビット側から下位ビット側の順番にまたは下位ビット側から上位ビット側の順番に配列したものを有することを特徴とする画像データ変調装置。
【請求項２】
前記剰余縮約データは、絶対値を表す絶対値データと、符号を表す符号ビットと、を有することを特徴とする請求項１記載の画像データ変調装置。
【請求項３】
前記シリアル信号は、同一線路上に制御データと前記符号ビットとを配列したものを有することを特徴とする請求項２記載の画像データ変調装置。
【請求項４】
前記シリアル信号は、同一線路上に前記絶対値データの最下位ビットと前記符号ビットとを配列したものを有することを特徴とする請求項２記載の画像データ変調装置。
【請求項５】
互いに隣接する線路のいずれか一方における前記シリアル信号は、全ビットを反転して配列されてなることを特徴とする請求項１〜４のいずれか１つに記載の画像データ変調装置。
【請求項６】
前記差動信号変調部は、１画素毎に前記シリアル信号のビットの順列を逆転することを特徴とする請求項１〜５のいずれか１つに記載の画像データ変調装置。
【請求項７】
請求項１〜６のいずれか１つに記載の画像データ変調装置と、
前記差動信号を剰余縮約データに変換して出力する差動信号復調部と、
前記剰余縮約データをＶＤｄａｔａに復元する剰余復元部と、
前記ＶＤｄａｔａをデジタル画像データに変換して出力する差分復調部と、
を備えたことを特徴とする画像表示装置。
【発明の詳細な説明】
【技術分野】
【０００１】
本発明は、画像データ変調装置及び画像表示装置に関し、特にＥＭＩを低減した画像データ変調装置及び画像表示装置に関する。
【背景技術】
【０００２】
液晶ディスプレイやＬＥＤディスプレイ、プラズマディスプレイ、電界効果型表示装置、ＥＬディスプレイなどの画像表示装置は、マトリックス状に配置された画素と、これら画素に画像信号を供給するための信号線駆動回路と、この信号線駆動回路に画像データを伝送するための回路基板とを備えている。デジタル化された画像データはこの回路基板上を伝送されて、信号線駆動回路に入力される。
【０００３】
一般に、信号線駆動回路に入力されるデジタル画像データは、赤（Ｒ）、緑（Ｇ）、青（Ｂ）などの色要素に対応する各画素の階調が８ビットであれば、８ビット×３＝２４ビットのデジタル画像データが伝送される。
【０００４】
近年、画像表示装置の大画面化、高精細化が進められ、それに伴って、上述のような画像表示装置の回路基板上の伝送路を伝送される画像データの周波数も非常に高くなってきている。このように周波数の高いデジタルデータが伝送される場合、ＥＭＩと呼ばれる電磁ノイズが生じる場合があり、ＥＭＩを低減する必要が高まってきている。
【０００５】
ＥＭＩを低減する方法としては、例えば、ＬＶＤＳ（Low Voltage Differential Signaling）やＲＳＤＳ（Reduced Swing Differentioal Signaling）といった差分データ伝送方式が提案されている。
【０００６】
しかし、近年、液晶ディスプレイなどの画像表示装置の高精細化が進み、ＬＶＤＳのように小振幅差動信号に変換しても、その伝送路から発生するＥＭＩが問題となりつつある。この問題を解決する方法の一つとして、比較的低規模な回路構成でＥＭＩを低減する伝送方式である「垂直差分伝送方式」があり、そのデータマッピングについて提案されている（例えば、特許文献１参照）。
【０００７】
また、従来の「垂直差分伝送方式」では、例えば、Ｎビット画像データをＮ−１ビット画像データに変換後、データビットの差分をとるため、画質が劣化するという問題があった。この問題を解決する方法の一つとして、剰余関数を使用することにより、差分データをＮビットに収め、可逆に変換する方式がある（例えば、特許文献２参照）。
【先行技術文献】
【特許文献】
【０００８】
【特許文献１】特開２００８−２８７１５４号公報
【特許文献２】特開２００６−２６１８３５号公報
【発明の概要】
【発明が解決しようとする課題】
【０００９】
本発明は、ＥＭＩを低減した画像データ変調装置及び画像表示装置を提供する。
【課題を解決するための手段】
【００１０】
本発明の一態様によれば、デジタル画像データを入力し、保持しているデータに対する差分をＶＤｄａｔａとして出力する差分変調部と、前記ＶＤｄａｔａを剰余関数により１ビット圧縮した剰余縮約データに変換して出力する剰余縮約部と、前記剰余縮約データをシリアル信号に変換して出力する差動信号変調部と、を備え、前記剰余縮約部は、前記ＶＤｄａｔａの出現確率の大きなものを前記剰余縮約データの遷移量の小さいものに対応させて変換し、前記シリアル信号は、１画素分の前記剰余縮約データを上位ビット側から下位ビット側の順番にまたは下位ビット側から上位ビット側の順番に配列したものを有することを特徴とする画像データ変調装置が提供される。
【００１１】
本発明の他の一態様によれば、前記記載の画像データ変調装置と、前記差動信号を剰余縮約データに変換して出力する差動信号復調部と、前記剰余縮約データをＶＤｄａｔａに復元する剰余復元部と、前記ＶＤｄａｔａをデジタル画像データに変換して出力する差分復調部と、を備えたことを特徴とする画像表示装置が提供される。
【００１２】
なお、本願明細書において、「剰余関数」とは、Ｎを自然数として、デジタルデータｘに、ｘを２のＮ乗で割ったときの剰余（余り）を対応させる関数をいう。例えば、９ビットの垂直差分データを２８（＝２５６）で割ったときの剰余（余り）に対応させる関数をいう。ただし、剰余は２のＮ乗個あればよく、０〜２Ｎ−１の範囲でなくてもよい。例えば、０〜２５５の範囲に限らず、−１２８〜１２７でもよい。
【００１３】
また、「剰余縮約」とは、剰余関数によりデジタルデータを変換することをいい、「剰余縮約データ」とは、剰余関数により変換したデジタルデータをいう。
また、デジタルデータの各ビットを最下位ビット側から順番にＬＳＢ、１ＳＢ、２ＳＢ、３ＳＢ、４ＳＢ、５ＳＢ、６ＳＢ、７ＳＢといい、最上位ビットをＭＳＢという。
また、「反転」とは各ビットの符号または極性に関して用い、「逆転」とは複数のビットの配列に関して用いる。
また、垂直差分（変調）は、ＶＤ（vertical differential encoding）といい、剰余縮約は、ＭＶＤ（modulo vertical differential encoding）という。
【発明の効果】
【００１４】
本発明によれば、ＥＭＩを低減した画像データ変調装置及び画像表示装置が提供される。
【図面の簡単な説明】
【００１５】
【図１】本発明の第１の実施形態に係る画像データ変調装置を例示するブロック図である。
【図２】図１に表した垂直差分変調部及び剰余縮約部の構成を例示するブロック図である。
【図３】図１に表した剰余縮約部の原理を説明する模式図である。
【図４】剰余縮約データを説明する模式図である。
【図５】ＶＤｄａｔａと伝送されるＭＶＤｄａｔａとの対応を表す模式図である。
【図６】図１に表した差動信号５４を例示するタイミングチャートである。
【図７】想定されるＥＭＩの概略スペクトラム図である。
【図８】サンプル画像とヒストグラムを表す模式図である。
【図９】サンプル画像のＤＶｄａｔａのヒストグラムである。
【図１０】サンプル画像のＭＶＤｄａｔａのヒストグラムである。
【図１１】サンプル画像の元画像及びＭＶＤｄａｔａのビットごとの１をとる確率を表す模式図である。
【図１２】差動信号を例示する他のタイミングチャートである。
【図１３】データ周波数の分析方法を説明するタイミングチャートである。
【図１４】サンプル画像１の元画像及びＭＶＤｄａｔａを差動配線対に送った場合の差動信号ｏｕｔ０における１または０が連続するビット数とその頻度を表す模式図である。
【図１５】サンプル画像１の元画像及びＭＶＤｄａｔａの差動信号ｏｕｔ０における頻度の多いデータを表す模式図である。
【図１６】サンプル画像１の元画像及びＭＶＤｄａｔａを差動配線対に送った場合の差動データ対ｏｕｔ２における１または０が連続するビット数とその頻度を表す模式図である。
【図１７】サンプル画像１の元画像及びＭＶＤｄａｔａの差動信号ｏｕｔ２における頻度の多いデータを表す模式図である。
【図１８】サンプル画像２の元画像及びＭＶＤｄａｔａを差動配線対に送った場合の差動信号ｏｕｔ０における１または０が連続するビット数とその頻度を表す模式図である。
【図１９】サンプル画像２の元画像及びＭＶＤｄａｔａの差動信号ｏｕｔ０における頻度の多いデータを表す模式図である。
【図２０】サンプル画像１で頻度の高いＭＶＤｄａｔａのＦＦＴによるスペクトル図である。
【図２１】サンプル画像１で頻度の高いＭＶＤｄａｔａの補正後のスペクトル図である。
【図２２】サンプル画像１の元画像データとＭＶＤｄａｔａとの遠方界ＥＭＩ測定結果である。
【図２３】図２２に表した遠方界ＥＭＩ測定結果をクロック周波数の次数に従って表示したＥＭＩの放射依存性の図である。
【図２４】サンプル画像２で頻度の高いＭＶＤｄａｔａの補正後のスペクトル図である。
【図２５】サンプル画像２の元画像及びＭＶＤｄａｔａの遠方界ＥＭＩ測定結果ををクロック周波数に従って拡大表示した図である。
【図２６】差動信号を例示する他のタイミングチャートである。
【図２７】サンプル画像２のＭＶＤｄａｔａを差動配線部に送った場合の差動信号ｏｕｔ０における１または０が連続するビット数とその頻度を表す模式図である。
【図２８】隣接差動配線対が同相の電流分布を表す模式図である。
【図２９】隣接差動配線対が同相の電磁界分布を表す模式図である。
【図３０】隣接差動配線対が逆相の電流分布を表す模式図である。
【図３１】隣接差動配線対が逆相の電磁界分布を表す模式図である。
【図３２】差動配線対による同相及び逆相成分の周波数依存性を説明するタイミングチャートである。
【図３３】差動信号を例示する他のタイミングチャートである。
【図３４】差動信号を例示する他のタイミングチャートである。
【図３５】差動信号を例示する他のタイミングチャートである。
【図３６】サンプル画像２で頻度の高いＭＶＤｄａｔａの補正後のスペクトル図である。
【図３７】サンプル画像２の元画像データとＭＶＤｄａｔａとの遠方界ＥＭＩ測定結果ををクロック周波数に従って拡大表示した図である。
【図３８】剰余縮約部の処理方法を表す模式図である。
【図３９】ＭＶＤｄａｔａの復元方法を表す模式図である。
【図４０】本発明の第２の実施形態に係る画像データ変調装置を例示するブロック図である。
【図４１】本発明の第３の実施形態に係る画像表示装置を例示するブロック図である。
【図４２】図４１に表した差動信号復調部のブロック図である。
【図４３】本発明の第４の実施形態に係る画像表示装置を例示するブロック図である。
【図４４】図２６におけるＬＶＤＳ伝送のデータマッピングに対応した、１０ｂｉｔのＭｉｎｉ−ＬＶＤＳデータマッピング例を表す模式図である。
【図４５】図３３におけるＬＶＤＳ伝送のデータマッピングに対応した、１０ｂｉｔのＭｉｎｉ−ＬＶＤＳデータマッピング例を表す模式図である。
【図４６】図３５におけるＬＶＤＳ伝送のデータマッピングに対応した、１０ｂｉｔのＭｉｎｉ−ＬＶＤＳデータマッピング例を表す模式図である。
【発明を実施するための実施形態】
【００１６】
（第１の実施の形態）
図１は、本発明の第１の実施形態に係る画像データ変調装置の構成を例示するブロック図である。
図１に表したように、本実施例の画像データ変調装置６１は、垂直差分変調部１２、剰余縮約部１３及び差動信号変調部１４を有し、デジタル画像データ５０を入力して差動信号５４を出力する。
【００１７】
デジタル画像データ５０は、垂直差分変調部１２によりＶＤｄａｔａ５２に変調される。ＶＤｄａｔａ５２は、剰余縮約部１３により剰余縮約データ５３に変換され、剰余縮約データ５３は、差動信号変調部１４によりシリアルの差動信号５４に変調される。
【００１８】
デジタル画像データ５０は、Ｎを自然数として、Ｎビットの階調データからなる。例えば、図示しないグラフィックコントローラなどから送られてくる。また、画像データ変調装置６１から出力されるシリアルの差動信号５４は、Ｌ、Ｍを自然数として、Ｌ本のＭビットシリアルデータを有する。例えば、図示しない表示部に送られる。
【００１９】
次に、各部の動作を説明する。
図２は、図１に表した垂直差分変調部及び剰余縮約部の構成を例示するブロック図である。
図２に表したように、垂直差分変調部１２は、ラインメモリ１２Ａ及び差分演算部１２Ｂを有し、デジタル画像データ５０を入力してＶＤｄａｔａ５２ａを出力する。また、剰余縮約部１３は、剰余縮約回路１３Ａ及び符号ビット付加部１３Ｂを有し、ＶＤｄａｔａ５２ａを入力して伝送されるＭＶＤデータビットｍｂｂを出力する。
【００２０】
デジタル画像データ５０は、ラインメモリ１２Ａと差分演算部１２Ｂとに入力される。
ラインメモリ１２Ａは、画像データ５０を一旦保持し、所定の期間遅延させた後、差分演算部１２Ｂに保持した画像データ（以下、「前画像データ」）５０Ａを出力する。本実施例においては、ラインメモリ１２Ａにより１水平期間遅延させて画像データを出力する。
【００２１】
差分回路１２Ｂは、デジタル画像データ５０と前画像データ５０Ａとの減算を行いＶＤｄａｔａ５２ａを出力する。
すなわち、
ｎライン目のＶＤｄａｔａ５２ａ＝ｎライン目のデジタル画像データ５０
−（ｎ−１）ライン目の前画像データ５０Ａ
により、ＶＤｄａｔａ５２ａを出力する。１ライン目に関しては、（ｎ−１）ライン目の前画像データ５０Ａが存在しないため、データ値をすべて０とする。そのため、１ライン目は元の画像データそのままが伝送される。
【００２２】
ＶＤｄａｔａ５２ａによる垂直差分伝送方式は、一般的に画像の垂直方向の相関が高いという性質を利用した方式である。ｎライン目の画像データ５０は、ｎライン目とｎ−１ライン目の画像データの差分データとして伝送される。ｎライン目の画像データ５０とｎ−１ライン目の前画像データ５０Ａは相関が高い。すなわち差分が小さいため、データの遷移が大幅に減少し、そのため後述するようにＥＭＩが低減する。
【００２３】
デジタル画像データ５０がＮビットのデジタルデータの場合、ＶＤｄａｔａ５２ａは、Ｎ＋１ビットのデジタルデータとなる。
以下、Ｎ＝８の場合を例にして説明する。デジタル画像データ５０は、０〜２５５の値となる。
【００２４】
ＶＤｄａｔａ５２ａは、絶対値と符号とで表した場合、デジタル画像データ５０よりも符号の１ビット分データ量が増え、−２５５から２５５の値となる。例えば、ｎライン目のｍ画素目の画像データをｍａ、また、ｎ−１ライン目のｍ画素目の画像データをｍｂとする。ｎライン目のｍ画素目のＶＤｄａｔａ５２ａは、５２ａ＝ｍａ−ｍｂとなる。
【００２５】
ここで、ｍａ、ｍｂがそれぞれ０〜２５５の値を取り得るため、ＶＤｄａｔａ５２ａは−２５５〜２５５の範囲の値となる。しかし、１つのｍｂを固定して考えると、ｍａは０〜２５５の８ビット値をとるため、ＶＤｄａｔａ５２ａ（１ライン前の画像データ）は−ｍｂに対して５２ａ＝（０−ｍｂ）〜（２５５−ｍｂ）の範囲の値となる。従って、ＶＤｄａｔａ５２ａも同様に８ビットで表せるはずである。
【００２６】
図３は、図１に表した剰余縮約部の原理を説明する模式図である。
図３においては、ｍａ、ｍｂを横軸に、またｍａ、ｍｂがある値をとる確率分布Ｐ（ｍａ）、Ｐ（ｍｂ）を縦軸に表している。
図３（ａ）に表したように、ｍｂを０〜２５５の範囲のある１つの値に固定して考えるとＰ（ｍｂ）は、縦軸に平行な直線となる。ｍａがある値をとる確率分布Ｐ（ｍａ）は、垂直方向の画像の相関から、ｍｂと同じ値をとる確率が最も高く、ｍｂから離れるに従い確立が減っていく分布となる。
【００２７】
図３（ｂ）に表したように、５２ａ＝ｍａ−ｍｂがとる確率分布Ｐ（５２ａ）は、図３（ａ）のＰ（ｍｂ）を縦軸と一致するように並行移動した曲線となる。
ここで、図３（ｃ）に表すように、伝送されるＭＶＤデータビットｍｂｂを０〜２５５の範囲となるように、５２ａの剰余関数をとる。つまり、剰余縮約により、
５３ａ＝ｍａ−ｍｂ    （ｍｏｄ  ２５６）
とする。ここで、５３ａは、ｍａ−ｍｂの２５６を法とする剰余類である。
【００２８】
このように、５３ａを０〜２５５の範囲の値に制限しても、ｍｂの値から５３ａの元の値を算出することができる。
５３ａとｍｂとから、ｍａを算出する復号は、図３（ｄ）に表したように、ｍａ＝５３ａ＋ｍｂを算出し、さらに０〜２５５の範囲内となるように剰余関数をとる。すなわち、
ｍａ＝５３ａ＋ｍｂ    （ｍｏｄ  ２５６）
とする（図３（ｅ））。５３ａ＋ｍｂを２５６で割った剰余をとればよい。
【００２９】
なお、上記の剰余縮約データの算出法においては、ｍｂｂが、０〜２５５の範囲となるように剰余縮約する場合について説明した。しかし、ｍｂｂは、任意の範囲にすることができ、例えば、−１２８〜１２７の範囲にすることもできる。
その場合、剰余縮約の演算は、次のように、考えることもできる。
【００３０】
図４は、剰余縮約データを説明する模式図である。
図４に表したように、平面上にＯＸ軸をとり、画像データｍａ、ｍｂを階調値を角度とする単位長さのベクトルで表す。すなわち、画像データｍａ、ｍｂの階調値を、階調値０を角度０に、階調値２５６を角度２πに換算して、階調値を角度で表す。
【００３１】
ａ１＝ｍａ−ｍｂ、ａ２＝ｍａ−ｍｂ＋２５６、ａ３＝ｍａ−ｍｂ−２５６とおくと、ａ１、ａ２、ａ３のいずれかが−１２８〜１２７の範囲の値となる。これを剰余縮約データｍｂｂとする。すなわち、図４において、ｍａ−ｍｂを表す時計回り、反時計回りの２つの角度のうち小さい方をｍｂｂとする。なお、このような表示法を、以下、モデュロサークルという。
【００３２】
図５は、ＶＤｄａｔａとＭＶＤｄａｔａとの対応を表す模式図である。
図５において、第１列目は、ＶＤｄａｔａ５２ａを数例表示している。第２列目は、ＭＶＤｄａｔａ５３ａ（−１２８〜１２７）をＶＤｄａｔａ５２ａに対応させて表示している。なお、ここでは、−１２８〜１２７の範囲に剰余縮約したＭＶＤｄａｔａを表している。
【００３３】
第３列目はＭＶＤｄａｔａの絶対値を、また、第４列目は、ＭＶＤｄａｔａの符号ビットを表示している。また、第５列目及び６列目は、ＭＶＤｄａｔａの自然画像及び文字画像における出現確率をそれぞれ模式的に表示している。さらに、第７列目は、ＭＶＤｄａｔａにおけるゼロデータからの遷移ビット数、つまりＭＶＤｄａｔａのビット列の１の数を表示している。なお、第５〜７列目については、後述する。
【００３４】
図５に表したように、文字画像における出現確率の高いデータは、例えば、ＶＤｄａｔａの０、−２５５、２５５である。このうち、−２５５と２５５とは、”１”となっているビット数が多い。これに対して、対応するＭＶＤｄａｔａは、１と−１で、”１”となっているビット数が少ない。すなわち、遷移ビット数が少ない。
このように、ＶＤｄａｔａの出現確率の大きなものを、ＭＶＤｄａｔａの遷移量の小さいものに対応させて変換する、これは、後述するように、ＥＭＩの低減に寄与する。
【００３５】
なお、ＶＤｄａｔａ５２ａ及びＭＶＤｄａｔａ５３ａとを、それぞれ絶対値と符号ビットとで表す場合は、絶対値データのＬＳＢ側に符号ビットを追加した表記を用いる。図２の１３Ｂは、剰余縮約した結果であるＭＶＤｄａｔａ５３ａに関する７ｂｉｔの絶対値に対して、符号ビットをさらに最下位ビットに付加して８ｂｉｔとするプロセスである。すなわち、ＭＶＤｄａｔａ５３ａは１０進法で考えた場合のＭＶＤデータ値であり、２進法の伝送信号で考えた場合、符号ビットをどの部分につけるかは決まっていない。そこで、伝送信号を時間方向にシリアル伝送する場合に、なるべく遷移確率が少なくなるように符号ビットを付加する方がよい。また、ＭＶＤｄａｔａ５３ａは−１２８から１２７の値をとりうるため、−１２８に関してはその絶対値が８ｂｉｔとなっている。ＭＶＤｄａｔａ５３ａは後述の方法を用いて７ビット化する。
【００３６】
従って、プラスのＭＶＤｄａｔａ５３ａは偶数に対応し、マイナスのＭＶＤｄａｔａ５３ａは奇数に対応することになる。ただし、マイナスデータに対しては、絶対値データ−１の値のＬＳＢ側に符号ビットを追加した表記とする。−１２８〜−１の範囲の絶対値を−１２７〜０の範囲へ変更し、７ビットで表すためである。上記の操作を行っても、ＭＶＤｄａｔａ５３ａにおいて、０は(００００００００)、−１は(０００００００１)で符号ビットにより区別ができる。
【００３７】
例えば、ＭＶＤｄａｔａ５３ａの１は、２進表記の絶対値＝”００００００１”のＬＳＢ側に符号ビット”０”を追加して”００００００１０”となる。また、ＭＶＤｄａｔａ５３ａの−１は、２進表記の絶対値−１＝”０００００００”のＬＳＢ側に符号ビット”１”を追加して”０００００００１”となる。なお、ＶＤｄａｔａ５２ａとＭＶＤｄａｔａ５３ａとの関係を以下のように一般化することができる。
【００３８】
ｉｆ  ａ＜＝−２＾（Ｎ−１）−１
ｂ＝ａ＋２＾Ｎ
ｅｌｓｅ  ｉｆ  ａ＞＝２＾（Ｎ−１）
ｂ＝ａ−２＾Ｎ
ｅｌｓｅ
ｂ＝ａ
【００３９】
１０ｂｉｔの場合
ｉｆ  ａ＜＝−５１３
ｂ＝ａ＋１０２４
ｅｌｓｅ  ｉｆ  ａ＞＝５１２
ｂ＝ａ−１０２４
ｅｌｓｅ
ｂ＝ａ
【００４０】
８ｂｉｔの場合
ｉｆ  ａ＜＝  −１２９
ｂ＝ａ＋２５６
ｅｌｓｅ  ｉｆ  ａ＞＝１２８
ｂ＝ａ−２５６
ｅｌｓｅ
ｂ＝ａ
【００４１】
また、ＭＶＤｄａｔａ５３ａとｍｂｂとの関係を以下のように一般化することができる。
ｉｆ  ５３ａ＜０
ｍｂｂ＝−（５３ａ＋１）×２＋１
ｉｆ  ５３ａ＞＝０
ｍｂｂ＝５３ａ×２
【００４２】
以下、単にＭＶＤデータという場合は、もとのＭＶＤｄａｔａの絶対値７ビットのＬＳＢ側に、ＭＶＤｄａｔａの符号ビットを追加したデータ形式、すなわち伝送されるＭＶＤデータビットｍｂｂを表すものとする。
【００４３】
ここで、図１に戻り、差動信号変調部１４について説明する。
差動信号変調部１４は、剰余縮約データ５３をシリアル信号の差動信号５４に変換して出力する。上記のとおり、１画素分の剰余縮約データ５３を、Ｌ本のＭビットシリアルデータの差動信号５４に変換する（ただし、Ｌ、Ｍは自然数）。
【００４４】
図６は、図１に表した差動信号５４を例示するタイミングチャートである。
図６に表したように、本実施例においては、Ｌ＝４、Ｍ＝７の場合を例示している。
図６（ａ）は、クロックｃｌｏｃｋを表す。また１クロック周期に、図６（ｂ）ｏｕｔ０、（ｃ）ｏｕｔ１、（ｄ）ｏｕｔ２、（ｅ）ｏｕｔ３に表したように、Ｌ×Ｍ＝４×７＝２８ビットの１画素分のデータおよび制御データを伝送する。なお、図６は例示であり、以下に説明するように、差動信号変調部１４は、他の差動信号を出力することもできる。
【００４５】
デジタル画像データ５０は、本実施例においては、Ｎ＝８ビット階調である。デジタル画像データ５０の赤（ｒｅｄ、Ｒ）、緑（ｇｒｅｅｎ、Ｇ）、青（ｂｌｕｅ、Ｂ）は、それぞれ８ビットのＭＶＤデータである赤（Ｒ７〜０）、緑（Ｇ７〜０）、青（Ｂ７〜０）に変換されている。
【００４６】
また、赤（Ｒ７〜０）、緑（Ｇ７〜０）、青（Ｂ７〜０）のＭＶＤデータは、それぞれ上位ビット側から下位ビット側の順番に配列されている。なお、ＬＳＢ及び２ＳＢ（ＬＳＢ側から２ビット目のビットデータＲ１、Ｇ１、Ｂ１）は、まとめて差動信号ｏｕｔ３に配列されている。これについては、後述する。
【００４７】
本実施例の画像データ変調装置６１は、このような差動信号５４を出力するデジタル画像データ５０の画像データ変調装置である。
図６に表したように画像データ５０を差動信号５４に配列することは、ＥＭＩに関する以下の考察に基づいて構築されたものである。
ここで、ＥＭＩの発生原理及びその低減方法について考察する。
【００４８】
差動配線においても、同相成分が発生する場合があり、その結果、ＥＭＩが大きくなる。同相成分ＶＣＯＭが伝送信号の変化点で生じる場合、伝送信号の周波数が高くなるとともに、同相成分の発生する割合が増加する。同相成分の逆相成分に対する比が大きくなり、相対的に逆相成分の影響が大きくなる。つまり、高周波数の領域においては、同相成分による放射電磁界が、また低周波数の領域においては、逆相成分による放射電磁界がＥＭＩとし測定されると考えられる。
【００４９】
従って、差動配線に周波数ｆの電流Ｉを流した場合の、遠方における放射電磁界ＥＭＩは、（１）式で与えられる。すなわち、十分遠方では、同相の微小電流による電界Ｅは、透磁率をμ、アンテナと差動配線の中央部との距離をｄとすると、電流の周波数ｆ、電流の長さｓ、電流の大きさＩに比例する。
Ｅ（ｆ）＝μｆｓＩ／ｄ                      ・・・（１）
【００５０】
差動配線の電圧と電流の関係式はＶ＝ＺＩで表わされる。
ここで、Ｚは絶対値である実数成分と位相を表わす虚数成分で（２）式のように表わすことができる。
Ｚ＝√（（Ｒ＋ｊωＬ）／（Ｇ＋ｊωＣ））    ・・・（２）
【００５１】
表皮の厚さδと周波数ｆの関係は、（３）式で与えられる。
δ＝√（２ρ／（ωμ））＝√（ρ／（πｆμ））  ・・・（３）
【００５２】
断面形状が直方体の配線の抵抗Ｒは、配線の抵抗率ρ、配線幅Ｗ、配線の厚みｔ、配線の長さをｌとすると、
Ｒ=ρ×ｌ／ｗ／ｔ                            ・・・（４）
と表される。ここで、表皮の厚さδが薄くなると、配線の中を流れる電流の厚みｔが薄くなる。そのため、配線抵抗が周波数の１／２乗に比例することを示す。数十ＭＨｚでの配線部の厚みｔと、表皮の厚さが同程度の厚さになった時の抵抗値をＲo とすると
ｔ（ｆ）＝Ｒo ／√ｆ
Ｒ（ｆ）＝ρ×ｌ／ｗ／（Ｒo ／√ｆ）＝ρ×ｌ／ｗ／Ｒo＊√ｆ  ・・・（５）
【００５３】
ここで、周波数が十分低い時には、表皮の厚みが配線の厚みより厚くなるため、（４）式に従い、高周波では、（５）式に従う。
ＥＭＩは、電流に比例する。また、高周波での導体損を表す配線抵抗により、配線部の高周波電流成分は減衰する。
【００５４】
入力側の電圧のスペクトル成分（ＦＦＴ（Fast Fourier Transform））より、差動配線を通過する電流成分を導出する。
上記の配線抵抗Ｒ（ｆ）を持つ配線に電圧Ｖをかけると、電流Ｉは以下のようになる。
Ｉ＝Ｖ（ｆ）／Ｒ（ｆ）＝Ｖ／（ρ×ｌ／ｗ／（Ｒo ／√ｆ））
＝Ｖ（ｆ）＊ｗ＊Ｒo／ρ／ｌ／√ｆ
となる。
【００５５】
ここで、ＥＭＩが、高周波の同相成分で、（１）式に従うとすると、
Ｅ（ｆ）＝μｆｓＩ／ｄ
∝ｆｓＶ（ｆ）／ｄ／√ｆ
∝√ｆｓＶ（ｆ）／ｄ                          ・・・（６）
となる。
【００５６】
このように,放射電界は、データ波形を周波数成分に変換したＦＦＴ成分に周波数の平方根をかけたものに比例する。後に述べる図２３、図２４、図２５、図３７のＥＭＩは（６）式により放射強度を予測したものである。
【００５７】
デジタル画像データ５０の統計的性質を把握するために、画像全画面で、データ値が連続するビット数を集計する。
図８は、サンプル画像とヒストグラムを表す模式図である。
図８に表したように、サンプル画像は、典型的な２種類の画像、サンプル画像１（文字画像）とサンプル画像２（自然画像）である。
【００５８】
これらの画像を例として、図１に表したような画像データ５０から差動信号５４へのデータ処理を行う。パソコンの操作画面のような画像情報は、パターン化されているため、文字画像の分類に入り、実写等の撮影画像は、隣接画像情報が徐々に明るくなったり、暗くなったりするような自然画像の分類に入る。  
【００５９】
図９は、サンプル画像のＶＤｄａｔａのヒストグラムである。
ここで、ＶＤｄａｔａ５２ａは、その絶対値からＬＳＢを除いた７ビットのデータに丸め、さらにＬＳＢ側に符号ビットを追加した８ビット表記となっている。
【００６０】
例えば、２５４と表記されたデータは、元データ＋２５５、つまり２進表記で”１１１１１１１１”に対応し、元データの上位７ビットのＬＳＢ側に、正の符号ビット”０”を追加したものである。同様に、２５５と表記されたデータは、元データ−２５５の絶対値”１１１１１１１１”の上位７ビットのＬＳＢ側に符号ビット”１”を追加したものである。従って、偶数は正データを、奇数は負データを表す。
【００６１】
図９に表したように、サンプル画像２（自然画像）において、ＶＤｄａｔａ５２ａは０をとる確率が高く、出現確率が低階調データ値に集中することがわかる。
また、サンプル画像１（文字画像）においては、ＶＤｄａｔａ５２ａの値は、ほとんどが０をとるが、その次に、２５４、あるいは−２５５をとる確率が高い。
【００６２】
すなわち、ＶＤｄａｔａ５２ａの値は、０から２５５または−２５５に変化する場合、ほとんどのデータビット値が一度に立ち上がる、あるいは立ち下がることがわかる。
【００６３】
図１０は、サンプル画像のＭＶＤｄａｔａのヒストグラムである。
図１０に表したようにサンプル画像２（自然画像）において、ＭＶＤｄａｔａ５３ａは０をとる確率が高く、低階調データ値に集中することがわかる。
【００６４】
また、サンプル画像１（文字画像）においては、ＶＤｄａｔａ５２ａの値２５４、２５５に対応するＭＶＤｄａｔａ５３ａの値は、それぞれ２進表記で”００００００１０”、”０００００００１”となる。０からのビット遷移の数が自然画像と同様少なくなることがわかる。このように、文字画像のようなコントラストの高い画像において、ＶＤｄａｔａ５２ａの値とＭＶＤｄａｔａ５３ａの値が大きく異なる。
【００６５】
ここで、図５に戻り、ＶＤｄａｔａ５２ａとＭＶＤｄａｔａ５３ａとの対応関係をみる。
第５列目及び第６列目に、画像信号の自然画像、文字画像の出現確率を表している。また、対応するＭＶＤＥデータ５３のビット値を第３列目、第４列目に表している。
【００６６】
自然画像で出現確率が高いものは、ＭＶＤＥデータ５３の絶対値のうち、ＭＳＢ側から数えて６ビット目、７ビット目（つまり絶対値データのＬＳＢ及び１ＳＢ）が遷移する確率が高く、遷移するビットの数が少ないことがわかる。つまり、ＭＶＤデータビットの絶対値の変化は小さい。
【００６７】
また、上記のとおり、文字画像においては、ＭＶＤｄａｔａ５３ａの値が、”００００００１０”、”０００００００１”の出現確率が高く、０からのビット遷移の数が自然画像と同様少なくなることがわかる。つまり、この場合もＭＶＤデータビットの絶対値の変化が小さい。
【００６８】
図１１は、サンプル画像の元画像及びＭＶＤｄａｔａのビットごとの”１”をとる確率を表す模式図である。ここで、データのビットごとの”１”をとる確率とは、ｎを０〜７の自然数として、データＤのｎビット目Ｄｎが”１”になる確率をいい、以下Ｐ１（ｎ）と表す。
【００６９】
図１１においては、ｎを横軸に、Ｐ１（ｎ）を縦軸にとって、画像データ５０及びＭＶＤｄａｔａ５３ａのＰ１（ｎ）を表している。
図１１から、自然画像、文字画像におけるＭＶＤｄａｔａ５３ａのビットごとの”１”をとる確率Ｐ１（ｎ）について、以下のようにまとめられる。
【００７０】
（ア）自然画像のＭＶＤｄａｔａ５３ａの値においては、ビット値ｎが０から７に増大するに従い、”１”をとる確率Ｐ１（ｎ）が減り、ｎが４以上で０．１以下となる。符号ビットとＭＶＤデータビットの絶対値データのＬＳＢとは、”１”をとる確率がほぼ同程度となる。
【００７１】
（イ）ＭＶＤｄａｔａ５３ａの各ビットにおいて、色による相関が高く、ほぼ同一の確率となる。
（ウ）文字画像においては、ＭＶＤｄａｔａ５３ａは、ｎが２以上のとき、”１”をとる確率がほぼ０となる。つまり、ＭＶＤｄａｔａ５３ａにおいては、”１”をとるビットは、ほぼ符号ビットと絶対値データのＬＳＢとであり、他のビットはほぼ”０”のままである。
【００７２】
このように、ＭＶＤｄａｔａ５３ａにおいては、デジタル画像データ５０及びＶＤｄａｔａ５２ａと比較して、データビットの遷移が少ない。そのため、ＭＶＤｄａｔａ５３ａは、ＥＭＩ低減効果が高いことが予想される。
【００７３】
ここで、図６に戻ると、本実施例の画像データ変調装置６１においては、差動信号５４を、ＭＶＤｄａｔａ５３ａのＬＳＢと１ＳＢとを、まとめてｏｕｔ３に配列している。そこで、ＭＶＤｄａｔａ５３ａが、絶対値データの７ビットと符号ビット１ビットとを上記のように配置した構成の場合は、ＭＶＤの符号ビットと絶対値データのＬＳＢとは、”１”をとる確率が同程度であり、同じように遷移すると予想される。従って、本実施例のｏｕｔ３のように配列することにより、差動信号の周波数をさらに低減することができ、ＥＭＩを低減することができる。
【００７４】
文字画像、自然画像におけるＭＶＤｄａｔａ５３ａの特徴は、上記のとおりである。
これらのデータビットの傾向をもとに、ＭＶＤｄａｔａ５３ａのデータ配列を変換することによるＥＭＩ低減手法が以下のように列挙できる。なお、差動信号の電圧を低電圧化することによっても、ＥＭＩを低減できるが、ここでは、主にデータ配列を変換ことによるＥＭＩを低減手法を列挙する。
【００７５】
（ａ）低周波化する。
（ｂ）データ遷移量を減少する。
（ｃ）デューティ比を変化させて放射周波数を変化する。
（ｄ）隣接差動配線の逆相化をする。
【００７６】
上記（ａ）の低周波化することにより、差動信号のスペクトルＶ（ｆ）の高周波成分が減衰する。そのため、図７に表した想定されるＥＭＩのスペクトルに差動信号の電圧スペクトルＶ（ｆ）を乗算した推定ＥＭＩのスペクトルが高周波数で低減される。
Ｖ（ｆ）を低周波数化するには、データ遷移の頻度を減少すること、及び遷移するデータの時間間隔を長くすることが有効である。
【００７７】
（ｂ）のデータ遷移量を減少することにより、差動信号のスペクトルＶ（ｆ）の大きさを減少することができる。そのため、ＥＭＩのスペクトルが低減される。
データ遷移量を減少するためには、出現頻度の高いＶＤｄａｔａ５２ａにデータ遷移量の少ないＭＶＤｄａｔａ５３ａを対応させるのが有効である。
【００７８】
また、基本的な手法として、図１１に表したように、あるデータビットが１をとる確率は、それより低い次数（ＬＳＢ側）のデータビットの１をとる確率より低い。つまり、８＞ｉ＞ｊとして、Ｐ１（ｉ）＜Ｐ１（ｊ）である。これより、上位ビットから下位ビット、あるいは下位ビットから上位ビットへ並べることにより、データ遷移量が最小限に抑制される。
【００７９】
図６に表した差動信号５４においても、ＭＳＢからＬＳＢ側の順番にデータを配列した構成となっている。例えば、Ｒ７−Ｒ２、Ｇ７−Ｇ３、Ｂ７−Ｂ４の各ビットデータを差動信号ｏｕｔ０〜３に配列している。これにより、データ遷移量が最小限に抑制され、ＥＭＩを低減が低減される。
【００８０】
（ｃ）のデューティ比を変化させて差動信号のスペクトルＶ（ｆ）を変化させることができる。これにより、例えば、特定の周波数における差動信号のスペクトルＶ（ｆ）を低減することにより、ＥＭＩを減少させることができる。なお、これについては、後述する。
【００８１】
（ｄ）の隣接差動配線の逆相化をすることにより、同相成分をキャンセルして、ＥＭＩを低減することができる。差動信号が逆相成分の場合は、推定されるＥＭＩのスペクトルは周波数ｆの２乗で減少するため、ＥＭＩを大きく低減することができる。なお、これについては後述する。
【００８２】
次に、上記（ｃ）のデューティ比を変化させて差動信号のスペクトルＶ（ｆ）を変化させることについて説明する。
図１２は、差動信号を例示する他のタイミングチャートである。
本実施例においては、差動信号変調部１４は、剰余縮約データ５３を図１２に表した差動信号５４に変調する点が、図１に表した画像データ変調装置６１と異なる。これ以外は、図１に表した画像データ変調装置６１と同様であるので説明を省略する。
【００８３】
デジタル画像データ５０は、本実施例においては、Ｎ＝８ビット階調である。デジタル画像データ５０の赤（ｒｅｄ、Ｒ）、緑（ｇｒｅｅｎ、Ｇ）、青（ｂｌｕｅ、Ｂ）は、それぞれＭＶＤデータビットの絶対値、赤（Ｒ６〜０）、緑（Ｇ６〜０）、青（Ｂ６〜０）及び符号ビット、赤（ＲＳ）、緑（ＧＳ）、青（ＢＳ）に変換されている。
【００８４】
また、図１２に表したように、差動信号ｏｕｔ０、１、３においては、各色の絶対値を上位ビット側から下位ビット側の順番に配列している。これにより、データ遷移量が最小限に抑制される。
さらに、差動信号ｏｕｔ２において、制御信号ＤＥ、ＶＳ、ＨＳ、ＣＴ、の次に符号ビットＲＳ、ＧＳ、ＢＳを配列している。なお、Δは、ビット反転を表し、ΔＲＳ、ΔＧＳ、ΔＢＳは、それぞれ、符号ビットＲＳ、ＧＳ、ＢＳの反転を表している。なお、図１２においては、高ビット側でデータ値がほとんど０となるものを灰色で塗りつぶしている。
【００８５】
図１２に表したように、符号ビットを他の画像ビットのデータ列と分離し、制御信号と同一線路におくことにより、データ遷移確率の高いビットが並ばないため、高周波成分を除去することができる。さらに、制御信号と符号ビットを同一線路におくことにより、制御信号がほぼ一定の値をとるため、データ周波数の高周波成分を低減することができる。
【００８６】
また、図１１に表したように文字画像、自然画像の符号ビットが”１”をとる確率は、０．５より小さい。そのため、符号ビットを反転させることにより、１をとる確率が０．５より大きくなり、図１２（ｄ）ｏｕｔ２の前半の制御信号部、後半の符合ビット部の境界部でデータ遷移量を少なくすることができるからである。
【００８７】
ところで、時間データのＭＶＤｄａｔａ５３ａからそのままＦＦＴなどによりスペクトル成分を算出することは、サンプル画像の影響が大きく、傾向がつかみにくい。そこで、まずＭＶＤｄａｔａ５３ａの特徴を表す最高頻度を持つデータを抽出することにする。
【００８８】
図１３は、データ周波数の分析方法を説明するタイミングチャートである。
画像データのデータ波形の周波数、すなわち、差動配線を駆動する電圧Ｖ（ｆ）を把握するために、”１”及び”０”の連続するビット期間を求める。
図１３に表したように、ＭＶＤｄａｔａの”１”が連続するビット期間Ｐ（１）、及び”０”が連続するビット期間Ｐ（０）を画像データについて算出する。図１３においては、Ｐ（１）＝１、Ｐ（０）＝６の場合を例示している。
【００８９】
Ｐ（１）とＰ（０）の多いビット期間を組み合わせることにより、データ周波数をおよそ把握することができる。例えば、上記の場合、データ周期は、Ｐ（１）＋Ｐ（０）＝７ｂｉｔであり、デューティ比＝（パルス幅）／（データ周期）＝１／７となる。
【００９０】
図１４は、サンプル画像１の元画像及びＭＶＤｄａｔａを差動配線対に送った場合の差動信号ｏｕｔ０における１または０が連続するビット数とその頻度を表す模式図である。
図１４においては、文字画像における元画像データと、図１２の並び替えを施したＭＶＤｄａｔａの差動信号ｏｕｔ０のＰ（０）とＰ（１）とを表している。
【００９１】
ＭＶＤｄａｔａ(図１２)はクロック周波数と同一の７ｂｉｔ区間の周期で、Ｐ（０）：Ｐ（１）＝６：１の頻度が多い。一方、元画像データは、周期はクロック周波数の８倍の５６ｂｉｔ区間の周期で、Ｐ（０）：Ｐ（１）＝７：４９の頻度が多い。そのため、差動信号ｏｕｔ２では、並び替えにより、データ周波数は高周波化している。
ここで、文字画像において、高精細な文字が多い場合は１画素ごとに、白と黒が切り替わるため、文字画像の元画像としては、１４ビット区間の周期で、Ｐ（０）：Ｐ（１）＝７：７の頻度も多くなる可能性が大きい。
【００９２】
図１５は、サンプル画像１の元画像及びＭＶＤｄａｔａとの差動信号ｏｕｔ０における頻度の多いデータを表す模式図である。
頻度を比較すると、ＭＶＤｄａｔａ(図１２)における７ビット区間の周期の頻度：元画像における５６ビット区間の周期の頻度＝２５０００：８００００＝５：１６と、元画像データに比較してデータ遷移量は減少している。
上記より、ＭＶＤにより、データ遷移量は減少しているが、文字画像の場合、ひとつの配線のみを注目するとデータ周波数が高周波化していることがある。
【００９３】
図１６は、サンプル画像１の元画像及びＭＶＤｄａｔａを差動配線対に送った場合の差動信号ｏｕｔ２における１または０が連続するビット数とその頻度を表す模式図である。
ＭＶＤｄａｔａ(図１２)はクロック周波数と同一の７ビット区間の周期で、Ｐ（０）：Ｐ（１）＝３：４の頻度が多い。一方、元画像データは周期はクロック周波数の８倍の７ビット区間の周期で、Ｐ（０）：Ｐ（１）＝４：３の頻度が多い。そのため、差動信号ｏｕｔ２では、並び替えにより、データ周波数は変化していない。
【００９４】
図１７は、サンプル画像１の元画像及びＭＶＤｄａｔａとの差動信号ｏｕｔ２における頻度の多いデータを表す模式図である。
頻度を比較すると、ＭＶＤｄａｔａ(図１２)における７ビット区間の周期の頻度：元画像データにおける５６ビット区間の周期の頻度＝２４０００：４８０００＝１：２と、元画像データに比較してＭＶＤｄａｔａ(図１２)は、データ遷移量は減少している。
【００９５】
図１８は、サンプル画像２の元画像及びＭＶＤｄａｔａを差動配線対に送った場合の差動信号ｏｕｔ０における１または０が連続するビット数とその頻度を表す模式図である。
すなわち、図１８においては、自然画像における元画像データと、図１２の並び替えを施したＭＶＤｄａｔａ（図１２）の差動信号ｏｕｔ０のＰ（０）とＰ（１）とを表している。
【００９６】
ＭＶＤｄａｔａ(図１２)はクロック周波数と同一の７ビット区間の周期で、Ｐ（０）：Ｐ（１）＝６：１の頻度が多い。一方、元画像データは周期は１ビット周期で変動するため、クロック周波数の周期より短く、周波数としては、３．５倍、１．７５倍とクロック周波数よりも高い周波数成分を持つ。すなわち、高い周波数の方で、１：１、１：２、２：２、１：３、３：２・・・というデューティ比を持つ。しかし、最高頻度をもつものとしては、Ｐ（０）：Ｐ（１）＝１：１となる。
【００９７】
図１９は、サンプル画像２の元画像及びＭＶＤｄａｔａとの差動信号ｏｕｔ０における頻度の多いデータを表す模式図である。
すなわち、図１８から明らかになった文字画像のｏｕｔ２におけるＭＶＤｄａｔａ(図１２)と元画像データの波形の代表例を表している。
【００９８】
頻度を比較すると、ＭＶＤｄａｔａ(図１２)における７ビット区間の周期の頻度：元画像データにおける２ビット区間の周期の頻度＝２０００００：９０００００＝２：９と、元画像データに比較して、自然画像においてもＭＶＤｄａｔａ(図１２)はデータ遷移量が大きく減少している。
【００９９】
上記より、ＭＶＤｄａｔａ５３ａにより、自然画像はデータ遷移量も低減し、データ周波数も低周波化するため、ＥＭＩの放射低減が成される要因が（ａ）、（ｂ）の２項目存在する。
【０１００】
画像分析により、ＭＶＤｄａｔａ５３ａと元画像データ５０の文字画像における頻度の高いデューティ比が異なることがわかった。波形にＦＦＴ（Fast Fourier Transform）処理することにより、周波数成分に分けることができる。波形により、どの周波数で放射が増大、あるいは低減するかを見積もることができる。すなわち、波形のデータ列をＦＦＴ処理することにより、Ｖ（ｆ）を算出することができる。
【０１０１】
なお、上記のとおりＭＶＤｄａｔａ５３ａをそのままＦＦＴ処理することは、サンプル画像の影響が大きく、傾向がつかみにくい。そこで、ＭＶＤｄａｔａ５３ａの特徴を表す最高頻度を持つデータをＦＦＴ処理することにする。
【０１０２】
モチーフデバイスは、１９２０×１０８０の解像度をもつ液晶ディスプレイとした。３ｍ法によるＥＭＩ測定を行い、実測データに基づき、最適なＬＶＤＳデータマッピングの並び替えについて検証する。クロック周波数は１４８．５ＭＨｚとなるが、奇数画素と偶数画素を分割して行っているため、クロック周波数は７４．２５ＭＨｚとなる。
【０１０３】
波形のＦＦＴは、クロック周波数７４．２５ＭＨｚ、データ波形の振幅２００ｍＶ、立ち上がり時間５００ｐｓ、立下り時間２００ｐｓとして、図１５、図１７に表した波形に関して行った。
図２０は、サンプル画像１で頻度の高いＭＶＤｄａｔａのＦＦＴによるスペクトル図である。
【０１０４】
図２０においては、横軸はクロック周波数のＮ倍の次数を表し、縦軸は電圧成分を表している。クロック周波数を７４．２５ＭＨｚとしているため、１３次高調波は９６５．２５ＭＨｚとなる。ＥＭＩ限度が設定されているＣＩＳＰＲ（International Special Commitee on Radio Interference、国際無線障害特別委員会）２２の規制周波数は、３０ＭＨｚ〜１０００ＭＨｚであるため、１３次高調波まで考慮することとする。
【０１０５】
図２０に表したように、デューティ比Ｐ（０）：Ｐ（１）＝４：３に比較し、Ｐ（０）：Ｐ（１）＝６：１の場合は、６倍、８倍高調波成分が、１／３程度低減していることがわかる。しかし、５倍、９倍の高調波成分が、１．５倍程度増大している。
【０１０６】
次に、これらの波形が放射強度としては、どのような影響を及ぼすか、見積もる。
駆動点の電圧Ｖ（ｆ）が、図２０に表したスペクトルとなっていると考えられるため、同相成分の場合は、図２０に表したスペクトルに√ｆをかけることにより補正すればよい。
【０１０７】
図２１は、サンプル画像１で頻度の高いＭＶＤｄａｔａの補正後のスペクトル図である。
図２１に表した、各周波数ごとのＦＦＴ成分に（８）式の補正をする（√ｆをかける）ことにより、放射強度の予測値に変換した補正後の周波数依存性を求めることができる。
【０１０８】
図２１は、文字画像におけるＭＶＤｄａｔａ(図１２)と元画像データの放射強度を比較するための駆動点電圧の周波数依存性Ｖ（ｆ）の推定値であり、絶対的な正確さは欠けるが、ＭＶＤ処理前後における相対的な比較はできる。
【０１０９】
ＭＶＤｄａｔａで頻度の高いＰ（０）：Ｐ（１）＝６：１の波形の場合、元画像データで頻度の高いＰ（０）：Ｐ（１）＝４：３の波形の場合より、６〜８次の周波数で放射強度が低減していることがわかる。この周波数帯は、波形のＦＦＴ成分、表皮の厚さδ、周波数ｆに１次比例する放射強度の３項目を考慮した場合に、放射強度が増大すると予測される周波数帯であるため、ＭＶＤｄａｔａによる低減効果は有効である。
【０１１０】
一方、元画像データでは、クロック周波数の２倍の周期をもち、Ｐ（０）：Ｐ（１）＝１：１の波形が多く出現する。この場合、クロック周波数の０．５倍、１．５倍、２．５倍の周波数である低い周波数帯で、クロック周波数の１倍のものより放射が増大する。データ周波数が、クロック周波数より低いため、放射効率の高い高周波成分を持たないため、他の２種類の波形に比較して、放射強度は低減していることがわかる。
【０１１１】
なお、図２１においては、頻度の高い波形のみを考慮したが、遷移データ量の頻度の低い他の波形についても考慮することがある。データ周波数が１／２と低い場合でも頻度が多いと大きな放射強度となる場合もある。
【０１１２】
図２２は、サンプル画像１の元画像データとＭＶＤｄａｔａとの遠方界ＥＭＩ測定結果である。
図２２においては、解像度１９２０×１０８０の実際のＬＣＤを用い、表示画像は、ソフトウェアでＭＶＤ画像（図１２）に変換して表示したものと、元画像を比較したＥＭＩ測定結果を示す。１９９〜３００ＭＨｚでＭＶＤｄａｔａにより放射強度が大きく低減していることがわかる。これらは、図１６の元画像データで頻度の高い、４：３(データ周波数=クロック周波数)と、１：１(データ周波数＝クロック周波数の１／２)が、ＭＶＤｄａｔａより頻度が高く発生しているためであろう。
【０１１３】
図２３は、図２２に表した遠方界ＥＭＩ測定結果をクロック周波数に次数に従って表示したＥＭＩの放射依存性の図である。
図２３においては、波形起因の周波数依存性をより明確にするために、クロック周波数のＮ次高調波成分近傍のみを抽出したＥＭＩ測定結果を表している。
【０１１４】
図２１に表した補正後のスペクトルの結果から６次の高調波成分が低減する結果が、予測される。このことは、図２３に表した放射強度の測定結果においても見られることがわかる。これらより、ＭＶＤデータ波形の分析により、放射低減の大きな周波数帯を予測することができることがわかる。
【０１１５】
次に、自然画像におけるＭＶＤ処理による放射低減効果を実測と比較して検証する。
図２４は、サンプル画像２で頻度の高いＭＶＤｄａｔａの補正後のスペクトル図である。
ＭＶＤｄａｔａで頻度の高いＰ（９）：Ｐ（１）＝６：１（データ周波数＝クロック周波数）の波形と、元画像で頻度の高いＰ（０）：Ｐ（１）＝１：１（データ周波数＝クロック周波数の３．５倍）の波形をＦＦＴ処理し、さらに補正した結果を表している。
【０１１６】
ＭＶＤｄａｔａの場合、元画像データと比較し、３次、４次高調波成分が低減し、かつ、６次、８次高調波成分が低減することが予測できる。
図２５は、サンプル画像２の元画像及びＭＶＤｄａｔａとの遠方界ＥＭＩ測定結果をクロック周波数に従って拡大表示した図である。
【０１１７】
自然画像における３ｍ法による放射強度の結果を表している。予測どおり、４次高調波成分で大きく放射が低減しており、かつ、６次高調波成分でも放射が低減していることが確認される。
【０１１８】
以上、ＭＶＤｄａｔａの場合のＥＭＩ低減効果についてまとめると、次のようになる。
（ａ）データ周波数が低減する（自然画像の場合）。
（ｂ）データ遷移量が減少する。
（ｃ）データのデューティ比が変化する（文字画像の場合）。
【０１１９】
これらより、図１に表した画像データの画像データ変調装置６１は、ほとんどの周波数帯でＥＭＩ低減効果を有する。また、図６及び図１２に表した差動信号の配列は、ＥＭＩ低減に有効であることが、図２１及び図２４からわかる。
【０１２０】
しかし、上記のデータ遷移量の減少（ｂ）の低減効果を考えないと、クロック周波数の１０次、１１次の高調波では放射強度が増大する恐れもある。
例えば、ＬＶＤＳ信号を伝送する電線ケーブル、あるいは、ＦＰＣ基板は送受信基板との間でコモンモードのモード変換や、コモンモードインピーダンスが大きく変化するため、ケーブル長に起因する共振周波数で放射が増大することがある。
【０１２１】
図２６は、差動信号を例示する他のタイミングチャートである。
図２６に表したように、２クロック間で、データの並び順を変えるものである。
本実施例においては、差動信号変調部１４は、剰余縮約データ５３を図２６に表した差動信号５４に変調する点が、図１に表した画像データ変調装置６１と異なる。これ以外は、図１に表した画像データ変調装置６１と同様であるので説明を省略する。
【０１２２】
1クロック目はＭＶＤｄａｔａにおいて、下位ビットから上位ビットへ並べ、２クロック目は上位ビットから下位ビットへ並べるようにする。この操作により、上位ビットが１クロック程度続く、すなわち、Ｐ（０）が１クロック程度連続し、データ周波数が低減することが予想される。これ以外については、図１２に表した差動信号と同様なので説明を省略する。
【０１２３】
図２７は、サンプル画像２のＭＶＤｄａｔａを差動配線部に送った場合の差動信号ｏｕｔ０における１または０が連続するビット数とその頻度を表す模式図である。
図２７においては、自然画像のＭＶＤｄａｔａをそれぞれ図１２及び図２６に表した差動信号に変換した時のＰ（０）、Ｐ（１）のヒストグラムを表している。
【０１２４】
図２７に表したように、図２６の差動信号のようなデータ配列では、Ｐ（０）：Ｐ（１）＝６：１の頻度が低下し、Ｐ（０）：Ｐ（１）＝１３：１の頻度が高くなることがわかる。一方、図２６の差動信号のデータ配列では、図１２に比較し、Ｐ（０）＝１ビットの頻度及びＰ（１）＝１ビットの頻度も高いため、図１９に表したクロック周波数の３．５倍の高調波成分が高くなっていることが予測される。このため、通常は図１２の差動信号の配列の方が広範囲の周波数にわたって、図２６より放射強度が低減する。しかし、１０次高調波成分のみの放射低減に注目すると図２６の配列の方が望ましい場合もある。
【０１２５】
次に、ＥＭＩ低減手法（ｄ）の差動配線の隣接データビット反転によるＥＭＩ低減効果について述べる。
差動伝送は、電源面、グラウンド面の影響が小さいが、波形の立ち上がり、立下りのアンバランス、インピーダンス不連続部によりコモンモード伝送を意図せず含む場合がある。このコモンモード電流が、電源、グラウンド面に流れこんだ時に大きな放射強度を引き起こすことを説明する。
【０１２６】
図２８は、隣接差動配線対が同相の電流分布を表す模式図である。
図２８においては、差動配線が、２つの隣接する差動配線、差動伝送路１、２を有し、同相成分が発生している場合を模式的に表している。差動伝送路１は、プラス側の伝送線路１−１と、マイナス側の伝送線路１−２を有し、差動伝送路２は、プラス側の伝送線路２−１と、マイナス側の伝送線路２−２を有する。
【０１２７】
各差動伝送路においては、１対の伝送線路に流れる電流がほぼ等しく逆向きであるため、上記のように、それぞれの伝送線路が作る電磁界が遠方界と打ち消しあい、ＥＭＩが低減する。しかし、プラス側の伝送線路１−１、２−１と、マイナス側の伝送線路１−２、２−２との電流値のアンバランスが生じることがある。例えば、データビット値が(０→１)の時に伝送線路１−１、２−１側は立ち上がりで、１−２、２−２側は立ち下がりとなる。
【０１２８】
ここで、例えば、データビット値が(０→１)の時に伝送線路１−１、２−１側に１−２、２−２側より大きな高周波電流が流れ、(１→０)の時に伝送線路１−２、２−２側に１−１、２−１側より大きな高周波電流が流れるとする。すなわち、データの立ち上がり時に伝送線路を流れる高周波電流の方が、データの立ち下がり時に流れる高周波電流より大きいとする。
【０１２９】
図２８においては、差動伝送路１及び２は、ともにプラス側の伝送線路１−１、２−１に、マイナス側１−２、２−２より大きな高周波電流が流れている状態を表している。このときの電磁界分布は、図２９に模式的に表したようになる。
【０１３０】
図２９においては、隣接差動配線対のそれぞれの伝送線路１−１〜２−２の高周波電流のそれぞれの向きと大きさ、及び高周波電流により放射される電磁界の方向を表している。
図２９に表したように、アンバランスにより生じたコモンモード電磁界成分が同方向なので強めあう。
【０１３１】
図３０は、隣接差動配線対が逆相の電流分布を表す模式図である。
図３０においては、差動配線が、２つの隣接する差動配線、差動伝送路１、２に逆相成分が発生している点が、図２８に表した差動配線と異なる。これ以外については、図２８と同様なので説明を省略する。
【０１３２】
このときの電磁界分布は図３１に模式的に表したようになる。
図３１においては、隣接差動配線対のそれぞれの伝送線路１−１〜２−２の高周波電流のそれぞれの向きと大きさ、及び高周波電流により放射される電磁界の方向を表している。
図３１に表したように、アンバランスにより生じたコモンモード電磁界成分が逆方向なのでキャンセルし、遠方界まで電磁波は伝わらない。
【０１３３】
逆相化の効果がどのような時に特に有効であるかを述べる。
図３２は、差動配線対による同相及び逆相成分の周波数依存性を説明するタイミングチャートである。
データ周波数による逆相化によるコモンモード成分打消し効果について表している。
【０１３４】
図３２に表したように、クロック周波数よりも低い周波数では、波形の立ち上がりと立下りが十分時間的に離れているため、隣接差動データ配線でのキャンセル効果が得られる。しかし、クロック周波数よりも高い周波数では、立ち上がりと立下りによるコモンモード成分が重なり、それぞれのコモンモード成分の位相が１８０度反転しておらず、その周波数でのキャンセル効果がデータ周波数が低い場合と同程度に効果的であるとは限らない。
【０１３５】
近傍磁界ノイズ測定により確認したところ、クロック周波数の１／２以下であると逆相化によるコモンモード成分のキャンセル効果は、高調波成分も含めて有効であると確認できた。しかし、クロック周波数程度になると、高調波成分の次数によって、増大したり、低減したりすることが確認された。
【０１３６】
図３３は、差動信号を例示する他のタイミングチャートである。
図３３においては、逆相化を用いた並び替えによるデータマッピングを例示している。図３３に表した信号線の配列は、データ周波数が低周波である場合、また、ある特定の周波数成分を低減したい場合に有効である。
【０１３７】
図３４は、差動信号を例示する他のタイミングチャートである。
図３４においては、図２６（２クロック間での順序逆転）、図３３（隣接差動配線逆相化）を組み合わせたものである。
【０１３８】
図３５は、差動信号を例示する他のタイミングチャートである。
図３５においては、符号ビット（０）と下位ビット（１）とを同じデータ列に配列している。
なお、上記実施例においては、差動信号変調部１４は、剰余縮約データ５３を図３３〜３５のいずれか１つに表した差動信号５４に変調する点が、図１に表した画像データ変調装置６１と異なる。これ以外は、図１に表した画像データ変調装置６１と同様であるので説明を省略する。
【０１３９】
図１１に表したように、最下位ビットと符号ビットはデータ値が１をとる確率がほぼ同一である。図３５に表したように、符号ビットを差動信号ｏｕｔ０、ｏｕｔ１、ｏｕｔ３の画像ビットの最下位ビットと並べ。また、差動信号ｏｕｔ２の制御信号は、上位ビットと隣接することにより、文字画像、自然画像ともほぼ遷移確率を０に近くすることができる。
【０１４０】
一方、差動信号ｏｕｔ０、ｏｕｔ１、ｏｕｔ２についてみると、図１２に表した配列ではＰ（０）：Ｐ（１）＝６：１（データ周波数＝クロック周波数）であったが、Ｐ（０）：Ｐ（１）＝５：２（データ周波数＝クロック周波数）が増大することが予測される。
【０１４１】
図３６は、サンプル画像２で頻度の高いＭＶＤｄａｔａの補正後のスペクトル図である。
上記ＭＶＤｄａｔａ５３ａにＦＦＴ処理し、さらに補正した後の周波数依存性を比較した結果を表している。
【０１４２】
図３６に表したように、Ｐ（０）：Ｐ（１）＝５：２の場合は、ｐ（０）：Ｐ（１）＝６：１と比較し、図２５に表した測定結果の遠方界放射強度で最大値を示す１０次高調波のＦＦＴ成分が小さい。そのかわりに、６次、８次のＦＦＴ成分が増大している。
【０１４３】
図３７は、サンプル画像２の元画像データとＭＶＤｄａｔａとの遠方界ＥＭＩ測定結果ををクロック周波数に従って拡大表示した図である。
図３７おいては、ＭＶＤ（図１２）、ＭＶＤ（図３５）の遠方界の放射強度の垂直成分の絶対値を表している。図３６で予測したとおり、１０次高調波成分で放射が低減しているが、６次高調波成分で放射が増大している。
【０１４４】
ところで、本実施例においては、垂直差分変調部１２により、画像データ５０からＶＤｄａｔａ５２に変換し、さらに剰余縮約部１３により、剰余縮約データ５３に変換する構成を例示している。しかし、本発明は、これに限定されない。剰余縮約部１３により、画像データ５０から一括して剰余縮約データ５３に変換することもできる。
【０１４５】
例えば、画像データ５０から剰余縮約データ５３への変換は、画像データｍｂの値により、場合分けした次の方法により行うことができる。
図３８は、剰余縮約部の処理方法を表す模式図である。
図３８に表したように、画像データｍｂと１２８とを比較して、その大小により場合分けして剰余縮約データｍｂｂを算出することができる。
【０１４６】
図３８に表したｍｂｂの算出式を、ｍａについて解くことにより、剰余縮約データｍｂｂから画像データｍａを復号する算出式が導ける。
図３９は、ＭＶＤｄａｔａの復元方法を表す模式図である。
図３９に表したように、画像データｍｂと１２８とを比較して、その大小により場合分けして画像データｍａを復元することができる。
【０１４７】
図４０は、本発明の第２の実施形態に係る画像データ変調装置を例示するブロック図である。
図４０に表したように、画像データ変調装置６２においては、剰余縮約部１３ａによりデジタル画像データ５０を剰余縮約データ５３に一括して変換している。これ以外については、画像データ変調装置６１と同様なので説明を省略する。
【０１４８】
なお、図４０においては、差動信号変調部に１４を用い、差動信号５４を出力する構成を例示しているが、図６に表した差動信号５４の他、図１２、図２６、図３３〜３５の差動信号を出力する差動信号変調部を用いることもできる。
【０１４９】
今まで述べたとおり、ＥＭＩは放射強度の最大値が低減することが望まれる。そのため、実装条件、例えば、ケーブル長、基板周波数などにより放射強度が増大した周波数において、ＬＶＤＳデータマッピングの並び替え方を変更することにより、所望の周波数の最大値を低減することが可能である。
【０１５０】
図４１は、本発明の第３の実施形態に係る画像表示装置を例示するブロック図である。
図４１に表したように、画像表示装置７１は、グラフィックコントローラ１０、画像データ変調装置６１（波線で囲んだ部分）、差動信号復調部１６、剰余復元部１７、垂直差分復調部１８、信号線駆動回路２０を有する。グラフィックコントローラ１０が出力するデジタル画像データ５０を変換・伝送し、復調したデジタル画像データ５８を信号線駆動回路２０に入力して表示する画像表示装置である。
【０１５１】
図４１においては、ＬＶＤＳを採用した画像表示装置の全体構成を例示している。
画像データ変調装置６１については、図１に表した画像データ変調装置と同様なので説明を省略する。
グラフィックコントローラ１０より出力されたデジタル画像データ５０は、画像データ変調装置６１により、シリアルの差動信号５４に変換される。
【０１５２】
差動信号５４は、ＬＶＤＳにより、例えば、４対の差動信号伝送路によって、差動信号復調部１６に入力される。この時に、別途設けられた１対の差動信号伝送路によってクロック信号も差動信号復調部１６に伝送される。
【０１５３】
差動信号復調部１６は、入力されたシリアルの差動信号５４からＭＶＤｄａｔａ５６を復調し、またクロック及び制御信号からタイミングを生成する。ＭＶＤｄａｔａ５６は、剰余復元部１７に入力され、ＶＤｄａｔａ５７に変換される。ＭＶＤｄａｔａ５６からＶＤｄａｔａ５７への復元は、上記のとおり、剰余関数をとることにより行う。
【０１５４】
垂直差分復調部１８は、ＶＤｄａｔａ５７を入力し、デジタル画像データ５８に復調する。復調されたデジタル画像データ５８は、液晶表示部の信号線駆動回路２０に入力され、液晶表示部に画像が表示される。
【０１５５】
図４２は、図４１に表した差動信号復調部のブロック図である。
図４２に表したように、剰余復元部１７は、符号ビット除去部１７Ａ及び剰余復元回路１７Ｂを有する。また、垂直差分復調部１８は、ラインメモリ１８Ａ及び加算回路１８Ｂを有し、また、ＶＤｄａｔａ５７を入力してデジタル画像データ５８を出力する。
【０１５６】
ＶＤｄａｔａ５７は、ラインメモリ１８Ａと加算回路１８Ｂとに入力される。
ラインメモリ１８Ａは、デジタル画像データ５８を一旦保持し、所定の期間遅延させた後、加算回路１８Ｂに保持した画像データ（以下、「前画像データ」）５８Ａを出力する。本実施例においては、ラインメモリ１８Ａにより１水平期間遅延させて画像データを出力する。
【０１５７】
加算回路１８Ｂは、ＶＤｄａｔａ５７と前画像データ５８Ａとの加算を行いデジタル画像データ５８を出力する。
すなわち、
ｎライン目の画像データ５８＝ｎライン目のＶＤｄａｔａ５７
＋（ｎ−１）ライン目の前画像データ５８Ａ
により、デジタル画像データ５８を出力する。
【０１５８】
なお、本実施例においては、剰余復元部１７及び垂直差分復調部１８を有し、ＭＶＤｄａｔａ５６からＶＤｄａｔａに復元し、さらにデジタル画像データに復調する構成を例示している。しかし、剰余復元部１７は、上記したＭＶＤｄａｔａの復元方法に基づき、ＭＶＤｄａｔａ５６からデジタル画像データ５８を一括して算出することもできる。
【０１５９】
また、本実施例においては、画像データ変調装置６１を用いてデジタル画像データ５０を差動信号５４に変調する構成を例示したが、画像データ変調装置６２を用いることもできる。
【０１６０】
図４３は、本発明の第４の実施形態に係る画像表示装置を例示するブロック図である。
図４３においては、画像データ変調装置６２及び剰余復元部１８ａを用いた画像表示装置７２を表している。ここで、剰余復元部１８ａは、上記のように、剰余縮約データ５６からデジタル画像データ５８に一括して変換する。
また、差動信号５４として、図６に表した剰余縮約データ５３の配列を用いる他に、図１２、図３３〜３５に表した剰余縮約データ５３の配列を用いる画像データ変調装置により構成することもできる。
【０１６１】
Ｍｉｎｉ−ＬＶＤＳと呼ばれる他の実施形態に応用した場合のデータマッピング例について示す。Ｍｉｎｉ−ＬＶＤＳとはＬＣＤ駆動基板内でタイミングコントローラから液晶ドライバまでの配線に使用される小振幅差動信号伝送である。６ｂｉｔの場合は１クロック間に６個のデータビットを時間方向に並べ、３対、あるいは４対、あるいは５対、あるいは６対で伝送する場合が多い。８ｂｉｔの場合は１クロックの間に８個のデータビットを時間方向に並べ、３対、あるいは４対、あるいは５対、あるいは６対で伝送する場合が多い。８ｂｉｔの場合は１クロックの間に８個のデータビットを時間方向に並べ、６対、あるいは７対、あるいは８対で伝送する場合が多い。
【０１６２】
図２６におけるＬＶＤＳ伝送のデータマッピングに対応した、１０ｂｉｔのＭｉｎｉ−ＬＶＤＳデータマッピング例を図４４に示す。図２６では、符号ビットを時間方向に並べ、遷移確率の少ない制御信号と組み合わせていたが、Ｍｉｎｉ−ＬＶＤＳ伝送では、遷移確率の少ない最上位ビットと組み合わせる。
（１）符号ビットと最下位ビットの分離
（２）符号ビットをシリアル化し、遷移確率の少ないデータビットと組み合わせる。
図３３におけるＬＶＤＳ伝送のデータマッピングに対応した、１０ｂｉｔのＭｉｎｉ−ＬＶＤＳデータマッピング例を図４５に示す。図４５では、隣接差動配線のビット順位を合わせ、かつ、関連性の高い色どうしを隣接差動配線に配置し、それらのいずれか一方を逆相化したものである。
【０１６３】
（３）隣接差動配線の逆相化
図３５におけるＬＶＤＳ伝送のデータマッピングに対応した、１０ｂｉｔのＭｉｎｉ−ＬＶＤＳデータマッピング例を図４６に示す。図４６では、符号ビットと最下位ビットを同じ配線上に時間方向に並べたものである。図３５と異なるのは、データマッピングに制御信号を含めなくてよいため、Ｒｅｄ、Ｇｒｅｅｎ、Ｂｌｕｅのすべての符号ビットと最下位ビットを同じ信号線に配列することができる。文字画像においては、最上位ビットから、下位２ビットまでのビットは遷移確率が低いため、８本の差動信号線対のうち、６本は低周波化することができ、ＥＭＩ低減が見込める。自然画像においては、最下位ビットと符号ビットを組み合わせた配線では高周波化する場合があるが、文字画像ほどは遷移確率が多くない。Ｐ（１）：Ｐ（０）＝６：１で放射が増大する１０次高調波成分での放射を低減するために有効である。
【０１６４】
本実施例の画像表示装置７１、７２によれば、画像データ５０から表示部までの区間のＥＭＩを低減することが可能となる。また、比較的小規模の回路付加によって、信号線駆動回路に入力される伝送路におけるＥＭＩを低減することが可能である。
【０１６５】
以上、具体例を参照しつつ、本発明の実施形態について説明した。しかし、本発明は、これらの具体例に限定されるものではない。例えば、画像データ変調装置、画像表示装置を構成する各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１６６】
その他、本発明の実施形態として上述した画像データ変調装置、画像表示装置を基にして、当業者が適宜設計変更して実施し得る全ての画像データ変調装置、画像表示装置も、本発明の要旨を包含する限り、本発明の範囲に属する。
【０１６７】
その他、本発明の思想の範疇において、当業者であれば、各種の変更例及び修正例に想到し得るものであり、それら変更例及び修正例についても本発明の範囲に属するものと了解される。
【符号の説明】
【０１６８】
１０  グラフィックコントローラ
１２  垂直差分変調部
１２Ａ、１８Ａ  ラインメモリ
１２Ｂ  差分演算部
１３、１３ａ  剰余縮約部
１３Ａ  剰余縮約回路
１３Ｂ  符号ビット付加部
１４  差動信号変調部
１６  差動信号復調部
１７、１８ａ  剰余復元部
１７Ａ  符号ビット除去部
１７Ｂ  剰余復元回路
１８  垂直差分復調部
１８Ｂ  加算回路
２０  信号線駆動回路
５０、５８  デジタル画像データ
５０Ａ、５８Ａ  前画像データ
５２、５２ａ、５７  ＶＤｄａｔａ
５３ａ  ＭＶＤｄａｔａ
５３、５６  剰余縮約（ＭＶＤ）データ
５４  差動信号
６１、６２  画像データ変調装置
７１、７２  画像表示装置
【図１】
2010210693.tif 000003
【図２】
2010210693.tif 000004
【図３】
2010210693.tif 000005
【図４】
2010210693.tif 000006
【図５】
2010210693.tif 000007
【図６】
2010210693.tif 000008
【図７】
2010210693.tif 000009
【図９】
2010210693.tif 000010
【図１０】
2010210693.tif 000011
【図１１】
2010210693.tif 000012
【図１３】
2010210693.tif 000013
【図１４】
2010210693.tif 000014
【図１５】
2010210693.tif 000015
【図１６】
2010210693.tif 000016
【図１７】
2010210693.tif 000017
【図１８】
2010210693.tif 000018
【図１９】
2010210693.tif 000019
【図２３】
2010210693.tif 000020
【図２４】
2010210693.tif 000021
【図２５】
2010210693.tif 000022
【図２７】
2010210693.tif 000023
【図２８】
2010210693.tif 000024
【図２９】
2010210693.tif 000025
【図３０】
2010210693.tif 000026
【図３１】
2010210693.tif 000027
【図３２】
2010210693.tif 000028
【図３６】
2010210693.tif 000029
【図３７】
2010210693.tif 000030
【図３８】
2010210693.tif 000031
【図３９】
2010210693.tif 000032
【図４０】
2010210693.tif 000033
【図４１】
2010210693.tif 000034
【図４２】
2010210693.tif 000035
【図４３】
2010210693.tif 000036
【図８】
2010210693.tif 000037
【図１２】
2010210693.tif 000038
【図２０】
2010210693.tif 000039
【図２１】
2010210693.tif 000040
【図２２】
2010210693.tif 000041
【図２６】
2010210693.tif 000042
【図３３】
2010210693.tif 000043
【図３４】
2010210693.tif 000044
【図３５】
2010210693.tif 000045
【図４４】
2010210693.tif 000046
【図４５】
2010210693.tif 000047
【図４６】
2010210693.tif 000048